(57)【要約】【課題】  ドレン水の排出が滞ることもなく、虫の侵入を防止することができる、ドレンホースを提供する。【解決手段】  ドレンホース１は、ホース本体２と、そのホース本体２の内側の内面層３とを備える。内面層３は、虫忌避成分を含有する虫忌避剤が塗布されて、その虫忌避剤が、ドレン水の排出により流されることがないよう硬化して被膜化されてなる。こうして、虫忌避剤が硬化して被膜化された内面層３が、ドレン水の排出により流されることがないため、長期に渡って、このドレンホース１からの虫の侵入を防ぐことができる。【選択図】  図１
2015224839.tif 000002
【特許請求の範囲】
【請求項１】
エアコンのドレン水を排出するためのドレンホースであって、
ホース本体と、そのホース本体の内側の内面層とを備え、
前記内面層は、虫に忌避行動を促す虫忌避成分を含有する虫忌避剤が塗布されて、その虫忌避剤が、ドレン水の排出により流されることがないよう硬化して被膜化されてなる、エアコン用のドレンホース。
【請求項２】
請求項１に記載のドレンホースを製造する製造方法であって、
前記ホース本体を、ブロー成形によって形成し、そのブロー成形時に、前記虫忌避剤を内部に噴出することにより、その虫忌避剤を前記ホース本体の内面に塗布して、前記内面層を形成する、エアコン用のドレンホースの製造方法。
【発明の詳細な説明】
【技術分野】
【０００１】
この発明は、虫の侵入を防止することができる、エアコン用のドレンホース、およびそのドレンホースの製造方法に関するものである。
【背景技術】
【０００２】
従来、エアコンのドレン水を排出するドレンホースに、キャップとかバルブを取り付けることがあった（例えば、特許文献１、２参照）。このキャップやバルブは、ドレンホースの排出側の先端に取り付けられて、ドレン水の排出を許容しながら、虫の侵入を防止するものであった。
【先行技術文献】
【特許文献】
【０００３】
【特許文献１】特開２００７−２１２０３３号公報
【特許文献２】特開２００６−３２２６３１号公報
【発明の概要】
【発明が解決しようとする課題】
【０００４】
しかし、前記従来のドレンホースは、キャップやバルブを取り付けることにより、ドレンホースから虫が侵入するのを防止することはできたものの、キャップやバルブが取り付けられた部分で異物が溜まりやすく、ドレン水の排出が滞るおそれがあった。
【０００５】
この発明は、上記した従来の欠点を解決するためになされたものであり、その目的とするところは、ドレン水の排出が滞ることもなく、虫の侵入を防止することができる、エアコン用のドレンホース、およびそのドレンホースの製造方法を提供することにある。
【課題を解決するための手段】
【０００６】
この発明に係るエアコン用のドレンホース、およびそのドレンホースの製造方法は、前記目的を達成するために、次の構成からなる。すなわち、
請求項１に記載の発明に係るドレンホースは、エアコンのドレン水を排出するためのドレンホースであって、ホース本体と、そのホース本体の内側の内面層とを備える。ここで、前記内面層は、虫に忌避行動を促す虫忌避成分を含有する虫忌避剤が塗布されて、その虫忌避剤が、ドレン水の排出により流されることがないよう硬化して被膜化されてなる。
【０００７】
このドレンホースによると、内面層は、塗布された虫忌避剤が硬化して被膜化されて、ドレン水の排出により流されることがないため、長期に渡って、ドレンホースからの虫の侵入を防ぐことができる。そして、内面層が被膜化されたものであるため、ドレンホース内がそれほど狭くなることもなく、ドレン水の排出が滞ることがない。
【０００８】
また、請求項２に記載の発明に係るエアコン用のドレンホースの製造方法は、請求項１に記載のドレンホースを製造する製造方法であって、前記ホース本体を、ブロー成形によって形成し、そのブロー成形時に、前記虫忌避剤を内部に噴出することにより、その虫忌避剤を前記ホース本体の内面に塗布して、前記内面層を形成する。こうして、ドレンホースは、そのホース本体の成形時に、虫忌避剤を内部に噴出して製造されるため、その製造を容易に行うことができる。
【発明の効果】
【０００９】
この発明に係るエアコン用のドレンホースによれば、ドレンホースに、塗布された虫忌避剤が硬化して被膜化された内面層を設けることで、ドレン水の排出が滞ることもなく、虫の侵入を防止することができる。そして、そのドレンホースの製造方法によれば、ドレンホースが、ホース本体の成形時に、虫忌避剤を内部に噴出して製造されるため、その製造を容易に行うことができる。
【図面の簡単な説明】
【００１０】
【図１】この発明の一実施の形態の、ドレンホースの断面図である。
【発明を実施するための形態】
【００１１】
以下、この発明に係るエアコン用のドレンホース、およびそのドレンホースの製造方法を実施するための形態を図面に基づいて説明する。
【００１２】
図１は、本発明の一実施の形態を示す。図中符号１は、エアコンのドレン水を排出するためのドレンホースを示す。
【００１３】
このドレンホース１は、ホース本体２と、そのホース本体２の内側の内面層３とを備える。ここで、内面層３は、虫に忌避行動を促す虫忌避成分を含有する虫忌避剤が塗布されて、その虫忌避剤が、ドレン水の排出により流されることがないよう硬化して被膜化されている。
【００１４】
具体的には、ドレンホース１は、可撓性を有する波付管からなる。ホース本体２は、単一の層からなり、例えば、塩化ビニル樹脂とかポリエチレンとかナイロン等の合成樹脂により形成される。そして、内面層３は、ホース本体２の内面に、虫忌避剤が塗布されて、その虫忌避剤が硬化して被膜化されたものである。この虫忌避剤は、例えば合成樹脂等に虫忌避成分を混合したもの、詳細には、バインダー樹脂と揮発性溶剤と虫忌避成分とを含むものであって、塗布後に、揮発性溶剤が揮発することで、虫忌避剤は、硬化して被膜化される。また、虫忌避成分としては、例えば、ピレスロイド系剤、有機リン剤、カーバメイト剤、ホウ素化合物、フッ素化合物などが挙げられる。
【００１５】
このドレンホース１によると、内面層３は、塗布された虫忌避剤が硬化して被膜化されて、ドレン水の排出により流されることがない。このため、長期に渡って、ドレンホース１からの虫の侵入を防ぐことができる。そして、内面層３が被膜化されたものであるため、ドレンホース１内がそれほど狭くなることもなく、ドレン水の排出が滞ることがない。すなわち、このドレンホース１によれば、ドレンホース１に、塗布された虫忌避剤が硬化して被膜化された内面層３を設けることで、ドレン水の排出が滞ることもなく、虫の侵入を防止することができる。
【００１６】
次に、このドレンホース１を製造する製造方法について説明する。このドレンホース１の製造方法は、ホース本体２を、ブロー成形によって形成し、そのブロー成形時に、虫忌避剤を内部に噴出することにより、その虫忌避剤をホース本体２の内面に塗布して、内面層３を形成する。こうして、ドレンホース１は、そのホース本体２の成形時に、虫忌避剤を内部に噴出して製造されるため、その製造を容易に行うことができ、また、虫忌避剤（つまり、内面層３）の、ホース本体２に対する密着性を高めることができる。
【００１７】
なお、本発明は、上述した実施の形態に限定されるわけではなく、その他種々の変更が可能である。例えば、ドレンホース１は、波付管からなるが、平滑管からなっていてもよい。
【００１８】
また、ホース本体２は、単一の層からならなくとも、二層、三層等、複数層からなっていてもよい。
【符号の説明】
【００１９】
１  ドレンホース
２  ホース本体
３  内面層
【図１】
2015224839.tif 000003